【事件の表示】
　特願２００６−３０７３１４「外傷応用のためのクロステーブル・トモシンセシス撮像のシステム及び方法」拒絶査定不服審判事件〔平成１９年　６月　７日出願公開、特開２００７−１３６１８３〕について、次のとおり審決する。
【結　論】
　本件審判の請求は、成り立たない。
【理　由】
 第１　手続の経緯
　本願は、平成１８年１１月１４日（優先権主張　平成１７年１１月１６日　米国）を出願日とする特願２００６−３０７３１４号であって、平成２３年１０月１９日付けで拒絶理由が通知され、平成２４年３月１５日付けで意見書が提出されるとともに同日付けで手続補正がなされ、同年５月１７日付けで拒絶査定がなされ、これに対して、同年９月１９日に拒絶査定不服審判の請求がなされ、同時に手続補正がなされたものである。
　その後、当審において平成２５年４月１７日付けで前置報告書の内容について請求人に事前に意見を求める審尋をなし、同年６月２０日付けで回答書が提出された。
　
第２　平成２４年９月１９日付けの手続補正についての補正の却下の決定
　
［補正の却下の決定の結論］
　平成２４年９月１９日付けの手続補正（以下「本件補正」という。）を却下する。
　
［理由］
１　本件補正について
　本件補正により、特許請求の範囲の請求項１に係る発明は、平成２４年３月１５日付けの手続補正により補正された明細書の特許請求の範囲の請求項１に記載の、
　
「Ｘ線（１１４）を受光するように構成され、移動自在の患者載置面（１３０）上に載置された患者の第１の側面に配置されたＸ線検出器（１２０）と、
前記第１の側面と反対側の前記患者の第２の側面に沿った経路を移動する間に前記経路に対して異なる角度となる複数の角度位置から前記Ｘ線検出器に向かってＸ線（１１４）を放出するように構成されているＸ線管（１１０）と、
前記複数の位置の各々から放出され、前記Ｘ線検出器（１２０）で受けた前記Ｘ線（１１４）に基づいた複数の投影画像を受けるように構成され、前記複数の投影画像から患者解剖学的構造の１枚の平面を再構成するように構成されたコンピュータ装置と、
を備える、トモシンセシス・イメージング・システム。」が
　
「Ｘ線（１１４）を受光するように構成され、
壁又は床に接続されて固定されたウォール・スタンド（１２４）により支持され、
前記第１の側面と反対側の前記患者の第２の側面に沿った経路を移動する間に前記経路に対して異なる角度となる複数の角度位置から前記Ｘ線検出器に向かってＸ線（１１４）を放出するように構成されているＸ線管（１１０）と、
前記複数の位置の各々から放出され、前記Ｘ線検出器（１２０）で受けた前記Ｘ線（１１４）に基づいた複数の投影画像を受けるように構成され、前記複数の投影画像から患者解剖学的構造の１枚の平面を再構成するように構成されたコンピュータ装置と、
を備え
、
前記Ｘ線（１１４）が前記経路に沿って移動するにつれて、前記Ｘ線（１１４）が前記Ｘ線検出器（１２０）に向かうように前記Ｘ線管（１１０）が回転する、
　
　そして、この補正は、「Ｘ線検出器（１２０）」について「壁又は床に接続されて固定されたウォール・スタンド（１２４）により支持され」るものであることを特定する補正事項、及び、「Ｘ線管（１１０）」について「前記Ｘ線（１１４）が前記経路に沿って移動するにつれて、前記Ｘ線（１１４）が前記Ｘ線検出器（１２０）に向かうように」「回転する」るものであることを特定する補正事項からなり、いずれも、特許請求の範囲のいわゆる限定的減縮を目的とする補正であるといえる。
　すなわち、本件補正における請求項１に係る発明の補正は、平成１８年法律第５５号改正附則第３条第１項によりなお従前の例によるとされる同法による改正前の特許法（以下「平成１８年改正前特許法」という。）第１７条の２第４項第２号に掲げる事項を目的とするものである。
　
２　独立特許要件違反についての検討
　そこで、次に、本件補正後の特許請求の範囲の請求項１に係る発明（以下「本願補正発明」という。）が特許出願の際独立して特許を受けることができるものか（平成１８年改正前特許法第１７条の２第５項において準用する同法第１２６条第５項の規定に違反しないか）について検討する。
　
（１）引用例
ア　本願の優先日前に頒布（公開）された刊行物である特開２００４−３５７９１２号公報（以下「引用例１」という。）には、次の事項が記載されている。（下記「イ　引用例１に記載された発明の認定」に直接関与する記載に下線を付した。）
　
「【０００１】
【発明の属する技術分野】
本発明は、被検体に関する撮影方向の異なる複数の画像のデータを指定断面の奥行きに応じて加算することにより断面上の部位の像が鮮明で断面以外の部位の像が不鮮明な断層画像データを再構成する機能を有する
Ｘ線断層撮影装置
　
「【００１５】
【発明の実施の形態】
以下、図面を参照して本発明による
Ｘ線断層撮影装置
Ｘ線管球部５１は、Ｘ線管球２０と、Ｘ線管球２０を移動可能に支持及びその移動を駆動するために構成されたＸ線管球支持機構５２と、Ｘ線管球２０及びＸ線管球支持機構５２を収容するケーシング２３とから構成される。Ｘ線管球２０には高電圧発生部６１から高電圧が印加される。それにより被検体４に、Ｘ線管球２０に取り付けられたＸ線絞り２１で成形されたＸ線が照射される。Ｘ線管球部５１は、床面上に設置された支持機構５３に移動可能に支持される。Ｘ線検出器部５４は、２次元状に配列された複数のＸ線検出素子を有するＸ線検出器５と、Ｘ線検出器５を収容するケーシング２４とから構成される。Ｘ線検出器部５４は、寝台５６の昇降及び体軸移動可能な天板２６上に載置された被検体４を挟んでＸ線管球部５１に対向するように床面上に設置された支持機構５５に支持される。
【００１６】
撮影制御部６０は、再構成可能範囲と関心部位との位置合わせ段階と、位置合わせ完了後に実際に被検体４を断層撮影する段階とにおいて、それぞれの段階に応じた撮影手順で高電圧発生部６１、Ｘ線管球部支持機構５３、Ｘ線管球移動機構部５２、Ｘ線検出器５、Ｘ線検出器部支持機構５５、寝台５６の各動作を制御するために設けられている。
【００１７】
Ｘ線検出器５には、位置合わせ段階及び断層撮影段階において、撮影制御部６０の制御によりＸ線検出器５から繰り返し出力されるＸ線画像データを撮影に同期して順次記憶するためのデータ記憶部６２が接続される。再構成部６３は、システム制御部６５の制御のもとで、断層撮影段階において撮影され、データ記憶部６２に記憶されている複数の撮影方向にそれぞれ対応する複数のＸ線画像のデータを、操作者が入力部６６を介して任意に指定された再構成範囲を含む断面の位置に基づいて加算することにより、当該再構成範囲を含む断面に対応する断層画像データを再構成するために設けられている。
【００１８】
システム制御部６５には、データ記憶部６２、再構成部６３及び入力部６６とともに、表示プロセッサ６８、再構成可能範囲計算部７１、位置計算部７０、位置合わせ計算部７２が接続されている。
【００１９】
再構成可能範囲計算部７１は、位置合わせ段階において、断層撮影段階で予定されている複数の撮影方向から断層画像データを再構成することの可能な３次元の再構成可能範囲を空間座標上で計算するために設けられている。表示プロセッサ６８は、位置合わせ段階において撮影された撮影方向の異なる少なくとも２つのＸ線画像と、再構成可能範囲計算部７１で計算された再構成可能範囲を奥行き方向を含む２次元で表すフレームとをから画面を構成して、表示部６７に表示する。
【００２０】
位置計算部７０は、表示部６７上に表示された撮影方向の異なる２つのＸ線画像上で入力部６６を介して指定された同一関心部位の位置（２次元の検出器座標系での位置）を３次元の空間座標系上での位置に変換すると共に、それら変換した同一の関心部位に関する２つの位置と、当該２枚のＸ線画像を撮影したときの空間座標系上での２つの撮影方向とに基づいて、当該関心部位の空間座標系上での３次元の位置を計算するために設けられている。つまり、撮影方向の変化に対する関心部位の位置の変化の方向及び距離に基づいて、関心部位の位置が計算される。
【００２１】
なお、空間座標系を、説明の便宜上、図２、図４に示すように既定する。ここでは空間座標系は、Ｘ線管球部５１の配置により決まる。Ｘ線管球２０は移動機構５２により移動される。移動機構５２はＸ線管球２０からのＸ線錐の中心線が一点（不動点）で交差するように構成されている。この不動点を原点として、Ｘ線管球部５１の中心からＸ線検出器部５４に向かう奥行き方向をＺ軸、前後方向にＸ軸、上下方向にＹ軸を既定する。
【００２２】
表示プロセッサ６８は、計算された関心部位の位置に基づいて、再構成可能範囲をＸＺ又はＹＺの２次元で表すフレーム上に、関心部位の位置を表すマークを重畳する。フレーム上には、関心部位の位置を表すマークとともに、操作者が指定した再構成位置を表すラインマークを重畳するようにしても良い。この再構成可能範囲を表すフレームと、関心部位の位置を表すマークとの位置関係から、前後方向Ｘ（又は上下方向Ｙ）に関する再構成可能範囲と関心部位との位置関係とともに、奥行き方向Ｚに関する再構成可能範囲と関心部位との位置関係が理解され得る。
【００２３】
位置合わせ計算部７２は、再構成可能範囲と関心部位の位置とに基づいて、関心部位の位置に対する再構成可能範囲の中心位置又は任意の指定位置の空間座標上でのズレ方向とその距離とを計算するために設けられている。計算されたズレ方向と距離に基づいて、システム制御部６５は支持機構５３、５５を制御してＸ線管球部５１及びＸ線検出器部５４の位置を変更することにより、またはＸ線管球移動機構５２を制御してＸ線管球２０の移動軌跡を変更することにより、再構成可能範囲の中心位置又は任意の指定位置が被検体内の関心部位に一致させることができる。」
　
「【００２９】
被検体４の関心部位を再構成可能範囲に対して大まかな位置合わせが終了した後に、正確な位置合わせのためにＸ線透視が行われる。位置合わせ段階での撮影は断層撮影段階の撮影よりも低いＸ線強度で行われる。低いＸ線強度を使って一定の周期で撮影が繰り返される。
【００３０】
被検体４は、寝台天板２６に仰向きで横たわる。被検体４の頭部は図示しない頭部固定器によって天板２６上で固定される。図１０において、矢印１はＸ線の撮影方向であり、矢印１の始点の位置にＸ線管球２０の焦点（Ｘ線発生点）がある。Ｘ線管球２０で発生したＸ線は、絞り２１で成形され、全体としてＸ線錐３を成す。２はＸ線錐３の中心線である。Ｘ線錐３は被検体４を通過し、Ｘ線検出器５の受光面上に投影され、そのＸ線画像がＸ線検出器５で撮影される。撮影されたＸ線画像データはデータ記憶部６２に記憶される。撮影制御部６０の制御のもとで、Ｘ線管球２０は移動機構部５２により断層撮影段階で予定されている軌道に沿って、直線的又は円弧状に移動する。移動の間、所定周期で繰り返し撮影される。それにより撮影方向の異なる複数のＸ線画像のデータがデータ記憶部６２に記憶される。」
　
「【００４０】
図１５は、
Ｘ線管球２０が直線軌道に沿って移動する
直線移動に対して連動するＸ線管球２０の振り角の移動範囲を変えること、つまりＸ線管球２０が位置ａのときのＸ線管球２０の振り角、Ｘ線管球２０が位置ｂのときのＸ線管球２０の振り角、Ｘ線管球２０が位置ｃのときのＸ線管球２０の振り角を変更する
【００４１】
また、複数の再構成可能領域が接するように、定点ｐの位置を複数箇所設定して、連続して撮影を行えば、再構成可能領域を実効的に拡大することができる。図１７に示す再構成可能領域は、図１５の範囲Ｒと図１６の範囲Ｒ’とが合成された範囲を示している。この場合、Ｘ線管球２０の被検体に対する移動位置を一定とすると、Ｘ線検出器５の移動位置が変化する。定点ｐおよびｐ’の撮影を一方向のスキャンで撮影を行う場合は、ａ，ｂ，ｃの振り角移動と、ａ’，ｂ’，ｃ’の振り角移動をａ，ａ’，ｂ，ｂ’，ｃ，ｃ’のように行えば良い。
【００４２】
以上のように位置合わせ段階が終了した後、断層撮影段階が開始される。断層撮影段階では、位置合わせ段階で決定された位置にＸ線管球部５１とＸ線検出器部５４とが固定され、また位置合わせ段階で決定された軌道に沿ってＸ線管球２０が移動する。その移動の間、位置合わせ段階での透視時よりも強いＸ線で撮影が所定の周期で繰り返される。それにより撮影方向の異なる複数のＸ線画像のデータがデータ記憶部６２に記憶される。
【００４３】
一般に、Ｘ線の散乱線の影響を低減させるために、集束型グリッドが使用される。Ｘ線管球２０はＸ線検出器５に対して常に正対した状態で移動する場合、集束型グリッドが検出器５の受光面に固定され、検出器５と一体となって移動する。
【００４４】
装置の小型化のために、検出器５を固定する構成、あるいは、検出器５の傾きを変えずに移動だけ行う構成では、Ｘ線検出器５に対するＸ線の入射角がＸ線管球２０の移動とともに変化するので、グリッドの方向をＸ線管球２０の移動に合わせて変化させる必要がある。」
　
「【図１】
　　　　　　　　　　　　　　　　　　　　　　　　　　　　　」
　
「【図２】
　　　　　　　　　　　　　　　　　　　　　　　　　　　　　」
「【図４】
　　　　　　　　　　　　　　　　　　　　　　　　　　　　　　」
　
「【図１５】
　　　　　　　　　　　　　　　　　　　　　　　　　　　　　　」
　
イ　引用例１に記載された発明の認定
　上記記載（図面の記載も含む）を総合すれば、引用例１には、
「Ｘ線管球部５１は、Ｘ線管球２０と、Ｘ線管球２０を移動可能に支持及びその移動を駆動するために構成されたＸ線管球支持機構５２と、Ｘ線管球２０及びＸ線管球支持機構５２を収容するケーシング２３とから構成され、Ｘ線管球２０には高電圧発生部６１から高電圧が印加され、それにより被検体４に、Ｘ線管球２０に取り付けられたＸ線絞り２１で成形されたＸ線が照射され、Ｘ線管球部５１は、床面上に設置された支持機構５３に移動可能に支持され、
　Ｘ線検出器部５４は、２次元状に配列された複数のＸ線検出素子を有するＸ線検出器５と、Ｘ線検出器５を収容するケーシング２４とから構成され、Ｘ線検出器部５４は、寝台５６の昇降及び体軸移動可能な天板２６上に載置された被検体４を挟んでＸ線管球部５１に対向するように床面上に設置された支持機構５５に支持され、
　Ｘ線検出器５には、位置合わせ段階及び断層撮影段階において、撮影制御部６０の制御によりＸ線検出器５から繰り返し出力されるＸ線画像データを撮影に同期して順次記憶するためのデータ記憶部６２が接続され、再構成部６３は、システム制御部６５の制御のもとで、断層撮影段階において撮影され、データ記憶部６２に記憶されている複数の撮影方向にそれぞれ対応する複数のＸ線画像のデータを、操作者が入力部６６を介して任意に指定された再構成範囲を含む断面の位置に基づいて加算することにより、当該再構成範囲を含む断面に対応する断層画像データを再構成するために設けられ、
　Ｘ線管球２０が直線軌道に沿って移動し、直線移動に対して連動するＸ線管球２０の振り角の移動範囲を変えること、つまりＸ線管球２０が位置ａのときのＸ線管球２０の振り角、Ｘ線管球２０が位置ｂのときのＸ線管球２０の振り角、Ｘ線管球２０が位置ｃのときのＸ線管球２０の振り角を変更するＸ線断層撮影装置。」の発明（以下「引用発明」という。）が記載されている。
　
（２）本願補正発明と引用発明との対比
ア　対比
　本願補正発明と引用発明とを対比する。
（ア）引用発明の「Ｘ線絞り２１で成形されたＸ線」、「床面上に設置された支持機構５５」、「体軸移動可能な天板２６」、「Ｘ線検出器５」及び「Ｘ線管球２０」が、それぞれ、本願補正発明の「Ｘ線（１１４）」、「壁又は床に接続されて固定されたウォール・スタンド（１２４）」、「移動自在の患者載置面（１３０）」、「Ｘ線検出器（１２０）」及び「Ｘ線管（１１０」に相当するから、引用発明の「２次元状に配列された複数のＸ線検出素子を有するＸ線検出器５と、Ｘ線検出器５を収容するケーシング２４とから構成され」、「寝台５６の昇降及び体軸移動可能な天板２６上に載置された被検体４を挟んでＸ線管球部５１に対向するように床面上に設置された支持機構５５に支持され」る「Ｘ線検出器部５４」における「Ｘ線検出器５」、及び、「Ｘ線管球２０と、Ｘ線管球２０を移動可能に支持及びその移動を駆動するために構成されたＸ線管球支持機構５２と、Ｘ線管球２０及びＸ線管球支持機構５２を収容するケーシング２３とから構成され、Ｘ線管球２０には高電圧発生部６１から高電圧が印加され、それにより被検体４に、Ｘ線管球２０に取り付けられたＸ線絞り２１で成形されたＸ線が照射され」、「床面上に設置された支持機構５３に移動可能に支持され」る「Ｘ線管球部５１」における「Ｘ線管球２０」が、それぞれ、本願補正発明の「Ｘ線（１１４）を受光するように構成され、壁又は床に接続されて固定されたウォール・スタンド（１２４）により支持され、移動自在の患者載置面（１３０）上に載置された患者の第１の側面に配置されたＸ線検出器（１２０）」、及び、「前記第１の側面と反対側の前記患者の第２の側面に沿った経路を移動する間に前記経路に対して異なる角度となる複数の角度位置から前記Ｘ線検出器に向かってＸ線（１１４）を放出するように構成されているＸ線管（１１０）」に相当する。
　
（イ）引用発明の「システム制御部６５の制御のもとで、断層撮影段階において撮影され、データ記憶部６２に記憶されている複数の撮影方向にそれぞれ対応する複数のＸ線画像のデータを、操作者が入力部６６を介して任意に指定された再構成範囲を含む断面の位置に基づいて加算することにより、当該再構成範囲を含む断面に対応する断層画像データを再構成するために設けられ」た「再構成部６３」が、本願補正発明の「前記複数の位置の各々から放出され、前記Ｘ線検出器（１２０）で受けた前記Ｘ線（１１４）に基づいた複数の投影画像を受けるように構成され、前記複数の投影画像から患者解剖学的構造の１枚の平面を再構成するように構成されたコンピュータ装置」に相当する。
　
（ウ）引用発明の「Ｘ線管球２０の振り角を変更する」ことが、本願補正発明の「Ｘ線管（１１０）が回転する」ことに相当するといえるから、引用発明の「Ｘ線管球２０が直線軌道に沿って移動し、直線移動に対して連動するＸ線管球２０の振り角の移動範囲を変えること、つまりＸ線管球２０が位置ａのときのＸ線管球２０の振り角、Ｘ線管球２０が位置ｂのときのＸ線管球２０の振り角、Ｘ線管球２０が位置ｃのときのＸ線管球２０の振り角を変更する」ことが、本願補正発明の「前記Ｘ線（１１４）が前記経路に沿って移動するにつれて、前記Ｘ線（１１４）が前記Ｘ線検出器（１２０）に向かうように前記Ｘ線管（１１０）が回転する」ことに相当する。
　
（エ）引用発明の「Ｘ線断層撮影装置」が、本願補正発明の「トモシンセシス・イメージング・システム」に相当する。
　
イ　一致点・相違点
　よって、本願補正発明と引用発明は、
「Ｘ線（１１４）を受光するように構成され、壁又は床に接続されて固定されたウォール・スタンド（１２４）により支持され、移動自在の患者載置面（１３０）上に載置された患者の第１の側面に配置されたＸ線検出器（１２０）と、
前記第１の側面と反対側の前記患者の第２の側面に沿った経路を移動する間に前記経路に対して異なる角度となる複数の角度位置から前記Ｘ線検出器に向かってＸ線（１１４）を放出するように構成されているＸ線管（１１０）と、
前記複数の位置の各々から放出され、前記Ｘ線検出器（１２０）で受けた前記Ｘ線（１１４）に基づいた複数の投影画像を受けるように構成され、前記複数の投影画像から患者解剖学的構造の１枚の平面を再構成するように構成されたコンピュータ装置と、
を備え、　
前記Ｘ線（１１４）が前記経路に沿って移動するにつれて、前記Ｘ線（１１４）が前記Ｘ線検出器（１２０）に向かうように前記Ｘ線管（１１０）が回転する、トモシンセシス・イメージング・システム。」の発明である点で一致し、両者の間に格別の相違点は存在しない。
　そして、両者の間に格別の相違点が認められないことから、本願補正発明が奏する作用効果は、当然に、引用発明も奏する作用効果であるといえるから、作用効果についても両者の間で相違するものではない。
　
（３）当審の判断
　よって、本願補正発明は、引用発明であるというべきである。
　以上のとおり、本願補正発明は、引用発明であるから、特許法第２９条第１項第３号において規定する発明に該当し、特許を受けることができない。
　
（４）結言
　本願補正発明は、特許法第２９条第１項第３号において規定する発明に該当し、特許出願の際独立して特許を受けることができるものであるということができない。
　よって、本件補正は、平成１８年改正前特許法第１７条の２第５項において準用する同法第１２６条第５項の規定に違反するものであり、同法第１５９条第１項で読み替えて準用する同法第５３条第１項の規定により却下されるべきものである。
　
（５）補足
　請求人は、平成２５年６月２０日付けで提出された回答書において、
「特開２００４−３５７９１２号公報（以下「文献５」とします）は、審査過程で引用された文献ではなく、出願人は、文献５に基づく拒絶理由通知は受領しておらず、補正の機会や意見を述べる機会は与えられておりません。このため、本願の審査は、特許法第５０条に違反した違法な手続きに基づくものであり、かかる違法な手続きに基づく上記拒絶査定は取り消されるべきものであると思料いたします。」（回答書第２ページ下から第９〜４行）
と主張している。（当審注；上記の「特開２００４−３５７９１２号公報」は、本審決の引用例１である。）
　しかしながら、平成１８年改正前特許法（現行の特許法でも同様）第１５９条第２項で読み替えて準用する同法第５０条のただし書きの規定により、審判請求時になされた本件補正に対して、同法第１５９条第１項で読み替えて準用する同法第５３条第１項の規定による補正の却下の決定をするときについては、「拒絶の理由を通知し、相当の期間を指定して、意見書を提出する機会を与えなければならない。」という規定は除外されている、すなわち、審判請求時の補正に対して補正の却下の決定をするときに、請求人に対して、拒絶の理由を通知して意見書を提出する機会を与える必要はないことが特許法に規定されていることは明らかであるといえる。
　そして、上記の「特開２００４−３５７９１２号公報」（本審決の引用例１）は、審査過程の拒絶査定において引用されたものではなく、審判請求時になされた補正である本件補正に対してなされた前置報告において引用された文献であるから、審査過程の拒絶査定、及び、上記引用例１を引用してなされる本件補正に対する補正の却下の決定は、いずれも、「特許法第５０条に違反した違法な手続きに基づくもの」ということできないのであるから、上記請求人の主張（要請）を採用することはできない。
　
 第３　本願発明について
１　本願発明
　平成２４年９月１９日付けの手続補正は、上記のとおり却下されたので、本願の請求項１に係る発明（以下「本願発明」という。）は、平成２４年３月１５日付けの手続補正により補正された特許請求の範囲の請求項１に記載された事項により特定されるとおりのものである。（上記「第２　平成２４年９月１９日付けの手続補正についての補正の却下の決定」の「１　本件補正について」の記載参照。）
　
２　引用例
（１）原査定の拒絶の理由に引用され、本願の優先日前に頒布（公開）された刊行物である特開２０００−２７９４０４号公報（以下「引用例２」という。）には、次の事項が記載されている。（下記「（２）引用例２に記載された発明の認定」に直接関与する記載に下線を付した。）
　
「【０００１】
【発明の分野】本発明は一般的には、イメージングに関し、より具体的には、スケーラブルな
マルチスライス・イメージング・システム
　
「【００１４】
【発明の詳しい記載】図１及び図２を参照して説明すると、一実施例による
マルチモード・イメージング・システム１０が、基部１４と、位置決め手段１６とを含んでいるものとして示されている。
システム１０がイメージングされる物体（図１及び図２には示されていない）に対して移動自在になるように、複数の車輪２０又はその他の類似の位置変更装置を有する可搬型プラットフォーム１８から伸びている。
位置決め手段１６はアームを含んでおり、
アームの第１の端部２２には、Ｘ線源アセンブリ２６が移動自在に結合されている。Ｘ線源アセンブリ２６は、Ｘ線信号を放出するように構成されているＸ線源２８を含んでいる。アームの第２の端部２４には、検出器アセンブリ３０が移動自在に結合されている。検出器アセンブリ３０は検出器３２を含んでいて、前記線源２８から物体の画像を形成するためのＸ線信号を受け取るように構成されている。
【００１５】より詳しく述べると、線源２８及び検出器３２は、物体に関する関心のある平面３４に沿って整列している。
線源アセンブリ２６及び検出器アセンブリ３０はそれぞれ、互いに対して独立に移動して、物体に関する関心のある平面３４を変化させる。
【００１６】検出器３２は、一実施例では、複数の検出器素子３４によって形成されており、これらの素子３４は全体で、物体を通過する投射されたＸ線を感知して、画像データを収集する。検出器３２は、シングル（単一）スライス構成、マルチ（複数）スライス構成又はフラット・パネル構成として作製され得る。」
　
「【００２０】一実施例では、アーム１６の運動、並びにＸ線源アセンブリ２６及び検出器アセンブリ３０の動作は、システム１０の制御機構５２によって制御されている。コントローラ、即ち制御機構５２は、Ｘ線制御器５４とモータ制御器５６とを含んでいる。Ｘ線制御器５４は、Ｘ線源２８に対して電力信号及びタイミング信号を供給し、またモータ制御器５６は、アーム１６、線源アセンブリ２６及び検出器アセンブリ３０の位置を制御する。制御機構５２内に設けられている
データ取得システム（ＤＡＳ）５８が、検出器３２から、後続の処理のためにデータをサンプリングする。画像再構成器６０が、サンプリングされたＸ線データをＤＡＳ５８から受け取り、高速画像再構成を実行する。
　
「【００２７】「ＣＴ立体摺動(volume sliding)」ＣＴ立体摺動モードは、公知のイメージング・システムを用いていたのでは撮影することが困難である又は不可能であるような形状、位置又は構成を有する物体の画像の形成を可能にするものである。より詳しく述べると、図４及び図７に示すように、システム１０がテーブル４６の側辺のうち１辺に沿って配置されている場合に、線源アセンブリ２６及び検出器アセンブリ３０がテーブル４６に対して垂直に移動するように、アーム１６を基部１４に対して移動させる。具体的には、アーム１６が基部１４に対して移動するにつれて、線源アセンブリ２６及び検出器アセンブリ３０は、関心のある平面３４がテーブル４６の表面５２に平行になるように、物体５０の周りを旋回する。例えば、図５に示すように、テーブル４６上に位置決めされた物体５０を走査するために、アームの第１の端部２２と基部１４との間の距離、及び第２の端部２４と基部１４との間の距離のそれぞれが変化するように、アーム１６を基部１４に対して移動させる。より詳しく述べると、一実施例では、線源アセンブリ２６が基部１４から最大の距離となり、検出器アセンブリが基部１４から最小の距離となるように、アーム１６を基部１４に対して移動させる。」
　
「【００２９】「Ｘ線フルオロ・モード」一旦、他のモードのうち１つを用いて物体５０の少なくとも１つの３次元画像が形成されたら、システム１０は、物体５０の体内の要素の位置を突き止めるようにＸ線フルオロ・モードに置かれる。一実施例では、図７に示すように、システム１０がテーブル４６の１つの側辺に沿って位置決めされている場合に、アーム１６を物体５０に対して位置決めすると共に位置を固定し、即ち、関心のある平面３４が基部１４に平行となり、線源アセンブリ２６及び検出器アセンブリ３０が基部１４から等距離となるようにアーム１６を位置決めする。次いで、線源２６と検出器３０との間の距離を、走査する選択区域に合わせて調節する。次いで、線源２８が起動されて、画像データが収集される。次いで、
検出器３２の位置を固定したままにして、線源２８を物体５０、即ち患者のＺ軸に沿って並進（平行移動）させ、
線源２８が並進するのと同時に、公知のフルオロスコピー法に従って関心のある平面３４に沿った一連の実時間画像を形成し
【００３０】もう１つの実施例では、線源２８を物体５０に対して角度を成して並進させ、３次元画像において関心のある骨の位置を決定する。より詳しく述べると、Ｚ軸並進に加えて、線源２８が物体５０に対して角度を成して並進するように、線源２８を検出器アセンブリ３０に向かって又は検出器アセンブリ３０から遠ざかるようにシフトさせる、即ち移動させて、実時間画像を形成する。
【００３１】もう１つの実施例では、検出器パネル１０２及び１０４から収集されたデータを用いて、所望の要素、即ち関心のある骨の位置を直接決定してもよい。図６を参照してより詳しく述べると、それぞれのパネル１０２及び１０４が互いに対して角度を成して位置決めされている場合に、それぞれのパネル１０２及び１０４について別個の画像が形成される。パネル１０２及び１０４から形成された別個の画像内の既知の基準の位置を決定した後に、公知の三角測量法を用いて３次元画像上での関心のある骨の位置を直接決定する。より具体的には、一実施例では、二重スポット線源２８を利用し且つ線源２８の線形並進を利用して、３次元画像上での位置が決定される。
【００３２】例えば、ＣＴ立体モードのうち１つのモードを用いて３次元画像を形成した後に、操作者は、システム１０をフルオロ・モードに置く。形成されたフルオロ・モードの実時間画像を用いて、操作者、例えば医師は、少なくとも１つの関心のある骨の位置を突き止めることができる。加えて、フルオロ画像を利用して、関心のある骨に対する他の装置の位置を表示し決定してもよい。例えば、画像を用いて、関心のある骨に挿入される医療用ねじの位置を決定することができる。詳しく述べると、これらの画像を利用して、関心のある骨に対する医療器具、例えばドリルの軌跡を予測する、即ち決定してもよい。このことは又、ねじ又は器具の位置決め装置に指令を与えることにより達成することもできる。画像が形成された後に、操作者は、システム１０を物体５０に対して改めて位置決めしてもよいし、又は異なる動作モードを選択してもよい。加えて、操作者がすべての作業を完了したならば、物体５０に干渉したり物体５０を煩わせたりせずにシステム１０を除去することができる。」
　
「【図１】
　　　　　　　　　　　　　　　　　　　　　　　　　　　　　　」
　
「【図４】
　　　　　　　　　　　　　　　　　　　　　　　　　　　　　」
　
「【図７】
　　　　　　　　　　　　　　　　　　　　　　　　　　　　　　」
　
「【図８】
　　　　　　　　　　　　　　　　　　　　　　　　　　　　　　」
　
　
（２）引用例２に記載された発明の認定
　【００２９】における「関心のある平面３４が基部１４に平行となり、線源アセンブリ２６及び検出器アセンブリ３０が基部１４から等距離となるようにアーム１６を位置決めする。」及び「検出器３２の位置を固定したままにして、線源２８を物体５０、即ち患者のＺ軸に沿って並進（平行移動）させ」の記載からして、【００２９】の「図７に示すように」の記載は、「図８に示すように」の誤りであることは明らかである。
　そして、【図８】から、Ｘ線源アセンブリ２６から（すなわち、Ｘ線源２８から）生じるＸ線信号は、Ｘ線源アセンブリ２６（Ｘ線源２８）の異なる位置において、Ｘ線源２８が並進する経路に対して異なる角度で検出器アセンブリ３０（検出器３２）に向かって放出されていること、及び、物体５０がテーブル４６上に載置され、Ｘ線源アセンブリ２６（Ｘ線源２８）がテーブル４６上に載置されている物体５０の上面側に配置され、また、検出器アセンブリ３０（検出器３２）が物体５０の下面側に配置されていることが見て取れる。
　
　よって、上記記載を総合すると、引用例２には、
「イメージングされる物体５０に対して移動自在になるように、複数の車輪２０又はその他の類似の位置変更装置を有する可搬型プラットフォーム１８から伸びているマルチモード・イメージング・システム１０が、位置決め手段１６とを含み、位置決め手段１６はアームを含んでおり、
　アームの第１の端部２２には、Ｘ線源アセンブリ２６が移動自在に結合され、Ｘ線源アセンブリ２６は、Ｘ線信号を放出するように構成されているＸ線源２８を含んでおり、アームの第２の端部２４には、検出器アセンブリ３０が移動自在に結合され、検出器アセンブリ３０は検出器３２を含んでいて、前記線源２８から物体の画像を形成するためのＸ線信号を受け取るように構成され、
　Ｘ線源２８及び検出器３２はそれぞれ、互いに対して独立に移動して、物体に関する関心のある平面３４を変化させ、
　物体５０がテーブル４６上に載置され、Ｘ線源２８が物体５０の上面側に配置され、検出器３２が物体５０の下面側に配置され、
　次いで、検出器３２の位置を固定したままにして、Ｘ線源２８を物体５０、即ち患者のＺ軸に沿って並進（平行移動）させ、
　Ｘ線源２８から生じるＸ線信号は、Ｘ線源２８の異なる位置において、Ｘ線源２８が並進する経路に対して異なる角度で検出器３２に向かって放出され、
　Ｘ線源２８が並進するのと同時に、公知のフルオロスコピー法に従って関心のある平面３４に沿った一連の実時間画像を形成し、
　データ取得システム（ＤＡＳ）５８が、検出器３２から、後続の処理のためにデータをサンプリングし、画像再構成器６０が、サンプリングされたＸ線データをＤＡＳ５８から受け取り、高速画像再構成を実行するマルチスライス・イメージング・システム。」の発明（以下「引用発明２」という。）が記載されている。
　
３　対比・判断
（１）対比
　本願発明と引用発明２とを対比する。
ア　引用発明２の「Ｘ線信号」、「物体５０」、「検出器３２」及び「Ｘ線源２８」が、それぞれ、本願発明の「Ｘ線（１１４）」、「患者」、「Ｘ線検出器（１２０）」及び「Ｘ線管（１１０）」に相当する。
　また、引用発明２においては「マルチモード・イメージング・システム１０」は「イメージングされる物体５０に対して移動自在になるように」構成されていることから、引用発明２の「物体５０」を載置する「テーブル４６」は、「マルチモード・イメージング・システム１０」に対して相対的に移動自在であるといえるから、本願発明の「移動自在の患者載置面（１３０）」に相当するものであるといえる。
　さらに、引用発明２における、「『物体５０の上面側』及び『物体５０の下面側』」と、本願発明の「『患者の第１の側面』及び『第１の側面と反対側の前記患者の第２の側面』」とは、「『患者の第１の面』及び『第１の面と反対側の前記患者の第２の面』」である点で一致している。
　よって、引用発明２の「イメージングされる物体５０に対して移動自在になるように、複数の車輪２０又はその他の類似の位置変更装置を有する可搬型プラットフォーム１８から伸びているマルチモード・イメージング・システム１０が、位置決め手段１６とを含み、位置決め手段１６はアームを含んでおり、アームの第１の端部２２には、Ｘ線源アセンブリ２６が移動自在に結合され、Ｘ線源アセンブリ２６は、Ｘ線信号を放出するように構成されているＸ線源２８を含んでおり、アームの第２の端部２４には、検出器アセンブリ３０が移動自在に結合され、検出器アセンブリ３０は検出器３２を含んでいて、前記線源２８から物体の画像を形成するためのＸ線信号を受け取るように構成され、Ｘ線源２８及び検出器３２はそれぞれ、互いに対して独立に移動して、物体に関する関心のある平面３４を変化させ、物体５０がテーブル４６上に載置され、Ｘ線源２８が物体５０の上面側に配置され、検出器３２が物体５０の下面側に配置され、次いで、検出器３２の位置を固定したままにして、Ｘ線源２８を物体５０、即ち患者のＺ軸に沿って並進（平行移動）させ、Ｘ線源２８から生じるＸ線信号は、Ｘ線源２８の異なる位置において、Ｘ線源２８が並進する経路に対して異なる角度で検出器３２に向かって放出され」ることと、本願発明の「Ｘ線（１１４）を受光するように構成され、移動自在の患者載置面（１３０）上に載置された患者の第１の側面に配置されたＸ線検出器（１２０）と、前記第１の側面と反対側の前記患者の第２の側面に沿った経路を移動する間に前記経路に対して異なる角度となる複数の角度位置から前記Ｘ線検出器に向かってＸ線（１１４）を放出するように構成されているＸ線管（１１０）と」「を備える」こととは、「Ｘ線（１１４）を受光するように構成され、移動自在の患者載置面（１３０）上に載置された患者の第１の面に配置されたＸ線検出器（１２０）と、前記第１の面と反対側の前記患者の第２の面に沿った経路を移動する間に前記経路に対して異なる角度となる複数の角度位置から前記Ｘ線検出器に向かってＸ線（１１４）を放出するように構成されているＸ線管（１１０）と」「を備える」点で一致する。
　
イ　引用発明２の「Ｘ線源２８が並進するのと同時に、公知のフルオロスコピー法に従って関心のある平面３４に沿った一連の実時間画像を形成」すること、及び、「データ取得システム（ＤＡＳ）５８が、検出器３２から、後続の処理のためにデータをサンプリングし、画像再構成器６０が、サンプリングされたＸ線データをＤＡＳ５８から受け取り、高速画像再構成を実行する」ことが、本願発明の「前記複数の位置の各々から放出され、前記Ｘ線検出器（１２０）で受けた前記Ｘ線（１１４）に基づいた複数の投影画像を受けるように構成され、前記複数の投影画像から患者解剖学的構造の１枚の平面を再構成するように構成されたコンピュータ装置」「を備える」ことに相当する。
　
ウ　引用発明２の「マルチスライス・イメージング・システム」が、本願発明の「トモシンセシス・イメージング・システム」に相当する。
　
（２）一致点
　そうすると、本願発明と引用発明２は、
「Ｘ線（１１４）を受光するように構成され、移動自在の患者載置面（１３０）上に載置された患者の第１の面に配置されたＸ線検出器（１２０）と、
前記第１の面と反対側の前記患者の第２の面に沿った経路を移動する間に前記経路に対して異なる角度となる複数の角度位置から前記Ｘ線検出器に向かってＸ線（１１４）を放出するように構成されているＸ線管（１１０）と、
前記複数の位置の各々から放出され、前記Ｘ線検出器（１２０）で受けた前記Ｘ線（１１４）に基づいた複数の投影画像を受けるように構成され、前記複数の投影画像から患者解剖学的構造の１枚の平面を再構成するように構成されたコンピュータ装置と、
を備える、トモシンセシス・イメージング・システム。」
の発明である点で一致し、両者は、次の点において、一応、相違する。
　
（３）相違点
　「Ｘ線検出器」（引用発明２においては「検出器」）及び「Ｘ線管」（引用発明２においては「Ｘ線源」）が配置される「患者」（引用発明２においては「物体」）の「面」が、本願発明においては「側面」である、すなわち、患者の横方向に配置されるのに対し、引用発明２においては「上下面」である、すなわち物体の上下方向に配置される点。
　
　
４　当審の判断
（１）上記相違点について
　引用例２には【００２７】において「具体的には、アーム１６が基部１４に対して移動するにつれて、線源アセンブリ２６及び検出器アセンブリ３０は、関心のある平面３４がテーブル４６の表面５２に平行になるように、物体５０の周りを旋回する。」と記載され、また、【図７】からも、検出器（検出器アセンブリ２６）及びＸ線源（Ｘ線源アセンブリ３０が）が物体（患者）の横方向に配置されることが記載されているから、関心のある平面３４をテーブル４６の表面５２に平行に設定して、すなわち、検出器及びＸ線源を物体（患者）の横方向に配置して、Ｘ線信号を物体に対して走査することも想定されている。
　したがって、上記相違点は、引用例２に記載されていた事項に過ぎないことである。
　そして、引用例２の【図８】のように「検出器アセンブリ３０（検出器３２）の位置を固定したままにして、Ｘ線源アセンブリ２６（Ｘ線源２８）を物体５０、即ち患者のＺ軸に沿って並進（平行移動）させ」る構成を、【図７】のような検出器アセンブリ３０（検出器３２）とＸ線源アセンブリ２６（Ｘ線源２８）の位置関係のもの（すなわち、それらが物体５０の側面に配置されたもの）においても用いることも、想定されていることにすぎないといえるから、本願発明と引用例２に記載された発明との間の実質的な相違点ということはできない。
　そして、両者の間に実質的な相違点が認められないことから、本願発明が奏する作用効果は、当然に、引用例２に記載された発明も奏する作用効果であるといえるから、作用効果についても両者の間で実質的に相違するものではない。
　
（２）よって、本願発明は実質的に引用例２に記載された発明であるというべきである。
　
５　むすび
　以上のとおり、本願発明は、実質的に引用例２に記載された発明であるから、特許法第２９条第１項第３号に規定する発明に該当し、特許を受けることができない。
　したがって、その余の請求項に係る発明について論及するまでもなく、本願は拒絶すべきものである。
　
　よって、結論のとおり審決する。